(57)【要約】      （修正有）【課題】未使用時など、紙葉類を収容しない状態や収容する紙葉類が少ない状態において特にコンパクトに構成し得るファイルを提供する。【解決手段】ファイルFは、紙葉類の一例であるカードを収容し得る収容部を有するシートたるポケット２１を複数重層させたポケット部２０からなる収容体２と、この収容体２を面方向に被覆し得る表紙体１と有するものであって、前記表紙体１が、収容体２を止着する止着部３０を有する背表紙３及び当該背表紙３からヒンジｈを介して一方向に延びる一方の表紙たる裏表紙５とを有するものであり、止着部３０を前記一方向に複数設けるとともに前記ポケット２１を止着部３０に止着される基端部２２から収容部を一方向にのみ延出させて設けている。【選択図】図３
2013151132.tif 000002
【特許請求の範囲】
【請求項１】
紙葉類を収容し得る収容部を有するシートを複数重層させたシート部からなる収容体と、この収容体を面方向に被覆し得る表紙体と有するファイルであって、
前記表紙体が、前記収容体を止着する止着部を有する背表紙及び当該背表紙からヒンジを介して一方向に延びる一方の表紙とを有するものであり、
前記止着部を前記一方向に複数設けるとともに前記シートを前記止着部に止着される基端部から前記収容部を前記一方向にのみ延出させて設けていることを特徴とするファイル。
【請求項２】
前記表紙体が前記背表紙からヒンジを介して他方に延びる他方の表紙と、前記一方又は他方の表紙からヒンジを介して延び前記背表紙に対面し得る対面表紙とを有するものであり、
前記背表紙、前記一方の表紙、前記他方の表紙及び対面表紙により、平面視矩形状をなし得る請求項１記載のファイル。
【請求項３】
前記表紙体が、前記一方又は他方の表紙から延びる対面表紙から前記他方又は一方の表紙側に延び当該他方又は一方の表紙に重層させ得る重層表紙をさらに有している請求項２記載のファイル。
【請求項４】
前記複数の止着部を等間隔離間させて設けるとともに、前記複数のシート部が有するシートの数をそれぞれ等しくしている請求項１、２又は３記載のファイル。
【請求項５】
前記背表紙が、前記複数の止着部間に設けられたヒンジ部を有している請求項１、２、３又は４記載のファイル。
【請求項６】
前記シートが袋状の前記収容部を有するポケットである請求項１、２、３、４又は５記載のファイル。
【発明の詳細な説明】
【技術分野】
【０００１】
本発明は、紙葉類を保管しておくためのファイルに関するものである。
【背景技術】
【０００２】
紙葉類を直接綴じる構成をなすファイルとは別に、個々の紙葉類毎に袋状をなす複数の冊子状に綴じられた例えば透明且つ袋状のシートに収容し、そのシートを介して各々の紙葉類を好適に閲覧し得るファイルが種々提案されている。
【０００３】
なかでも現在では、表表紙と裏表紙との間の厚み寸法を可変とすべく複数のヒンジを設けたものも開示されている(例えば、非特許文献１参照)。当該非特許文献に記載のファイルのように厚み寸法を可変とすることで、収容する紙葉類の量に応じた厚み寸法を実現でき、その結果、表紙体が不要に曲げられる等により起因する嵩張りを有効に回避し得るものとなっている。
【０００４】
しかし現状では特に、製造工程から出荷時、又は使用前の状態において、より嵩張らずにコンパクトにし得るものが、この種のファイルには求められている。
【先行技術文献】
【非特許文献】
【０００５】
【非特許文献１】「コクヨ２０１１総合カタログ」、ステーショナリー編、コクヨ株式会社、２０１０年１２月発行、Ｐ．２３６〜２３７）
【発明の概要】
【発明が解決しようとする課題】
【０００６】
本発明は、上述した点に特に着目したものであり、未使用時など、紙葉類を収容しない状態や収容する紙葉類が少ない状態において特にコンパクトに構成し得るファイルを提供することを目的としている。
【課題を解決するための手段】
【０００７】
本発明は、このような目的を達成するために、次のような手段を講じたものである。
【０００８】
すなわち本発明に係るファイルは、紙葉類を収容し得る収容部を有するシートを複数重層させたシート部からなる収容体と、この収容体を面方向に被覆し得る表紙体と有するファイルであって、前記表紙体が、前記収容体を止着する止着部を有する背表紙及び当該背表紙からヒンジを介して一方向に延びる一方の表紙とを有するものであり、前記止着部を前記一方向に複数設けるとともに前記シートを前記止着部に止着される基端部から前記収容部を前記一方向にのみ延出させて設けていることを特徴とする。
【０００９】
このようなものであれば、シートは止着部に止着された基端部から一方向にのみ延びる為、他の止着部に止着されたシートに厚み方向に干渉することを有効に回避することができる。これにより、紙葉類を収容しない状態や収容する紙葉類が少ない状態において特にコンパクトに構成し得るファイルを提供することができる。
【００１０】
また、収容する紙葉類の量に拘わらず表紙体が好適に収容体を面方向に被覆し得る態様として、前記表紙体が前記背表紙からヒンジを介して他方に延びる他方の表紙と、前記一方又は他方の表紙からヒンジを介して延び前記背表紙に対面し得る対面表紙とを有するものであり、前記背表紙、前記一方の表紙、前記他方の表紙及び対面表紙により、平面視矩形状をなし得るものを挙げることができる。これにより、表紙体が平面視矩形から平行四辺形に適宜変形させることで全体の厚み寸法の変化に有効に適応し得る。
【００１１】
より確実に収容体を面方向に被覆しうる具体的な態様として、表紙体が、前記一方又は他方の表紙から延びる対面表紙から前記他方又は一方の表紙側に延び当該他方又は一方の表紙に重層させ得る重層表紙をさらに有しているものを挙げることができる。
【００１２】
シート部同士の厚み方向の干渉をさらに有効に回避することでよりコンパクトに構成するためには、前記複数の止着部を等間隔離間させて設けるとともに、前記複数のシート部が有するシートの数をそれぞれ等しくすることが好ましい。
【００１３】
また、複数のシートのうち、紙葉類を収容しているシートに偏りがあっても表紙体が好適に収容体を被覆し得る構成として、背表紙が、前記複数の止着部間に設けられたヒンジ部を有しているものを挙げることができる。
【００１４】
本発明のシートの具体的な一例としては、シートが袋状の前記収容部を有するポケットである態様を挙げることができる。
【発明の効果】
【００１５】
本発明によれば、紙葉類を収容しない状態や収容する紙葉類が少ない状態において特にコンパクトに構成し得るファイルを提供することができる。
【図面の簡単な説明】
【００１６】
【図１】本発明の一実施形態に係る外観図。
【図２】同実施形態に係る正面図。
【図３】同他の外観図。
【図４】同他の正面図。
【図５】同構成説明図。
【図６】図４に係る平面図。
【図７】図２に係る平面図。
【発明を実施するための形態】
【００１７】
以下、本発明の一実施の形態について図面を参照して説明する。
【００１８】
本実施形態に係るファイルFは、例えばクリヤホルダやカード入れとして好適に適用されるものであり、シートたるポケット内に名刺やカードＣといった紙葉類を収容し、好適に保管・閲覧をし得るものである。
【００１９】
収容体２は、例えば透明の可撓性樹脂からなるシートであるポケット２１を複数枚重層させたポケット部２０を複数、表紙体１に対し例えば溶着されたものである。ポケット部２０は、上記ポケット２１を例えば１０枚単位で重層し、互いに背表紙３とともに溶着されたものである。そしてポケット２１は、基端部において１０枚単位で表紙体１に溶着されるとともに、同一方向である一方向に延びる先端側にはカードＣや名刺等を収容し得る収容部２３を形成している。
【００２０】
表紙体１は、例えば板状の樹脂板を主体としたものであり、長手方向に直交する方向にそれぞれヒンジｈを設け、当該ヒンジｈの位置で適宜折り曲げることにより、収容体２を筒状に被覆し得る、表表紙４、背表紙３、裏表紙５の他、対面表紙６及び重層表紙７を構成したものである。また表紙体１は、収容体２を背表紙３の位置で固定しておくとともに、少なくとも収容体２の表裏の面方向から被覆し得るように構成されたものである。詳細には表紙体１は、収容体２を筒状に被覆するように設けられたものである。背表紙３と、裏表紙５と、この裏表紙５に対し背表紙３を介して設けられた表表紙４と、裏表紙５からヒンジｈを介して設けられた表表紙４と、裏表紙５からヒンジｈを介して連続して設けられた対面表紙６と、対面表紙６に連続し、表表紙４に重層し得る重層表紙７とを有するものである。
【００２１】
しかして本実施形態に係るファイルFは、紙葉類の一例であるカードＣを収容し得る収容部２３を有するシートたるポケット２１を複数重層させたポケット部２０からなる収容体２と、この収容体２を面方向に被覆し得る表紙体１と有するものであって、前記表紙体１が、収容体２を止着する止着部３０を有する背表紙３及び当該背表紙３からヒンジｈを介して一方向に延びる一方の表紙たる裏表紙５とを有するものであり、止着部３０を前記一方向に複数設けるとともに前記ポケット２１を止着部３０に止着される基端部２２から収容部２３を一方向にのみ延出させて設けていることを特徴とするものである。
【００２２】
以下、係るファイルＦの各部について説明する。
【００２３】
背表紙３は、ポケット部２０とヒンジｈと平行となるように止着している止着部３０と、これら止着部３０間に同じくヒンジｈと平行となるよう素材を薄肉に形成し適宜屈曲し得るように例えば複数等間隔に構成されたヒンジ部３１とを有している。この背表紙３には、複数の、詳細には４つの止着部３０が等間隔離間して設けられており、これら止着部３０にはそれぞれ等しい数のポケット２１を有するポケット部２０が止着されている。
【００２４】
裏表紙５は、背表紙３から一方向すなわちポケット２１の延出方向にヒンジｈを介して設けられたものであり、もっとも近接して止着されたポケット２１を面方向に覆うに足る寸法に設定されている。この裏表紙５は、図３、４に示すようにポケット２１の収容部２３に何も収容していない状態では背表紙３に対して略直線状に位置付けられるとともに、図１、２に示すようにポケット２１に紙葉類が十分量収容されている状態では背表紙３に対し略直角をなす。
【００２５】
対面表紙６は、裏表紙５から背表紙３とは反対側へヒンジｈを介して延出しており、背表紙３と略同じ寸法をなしている。この対面表紙６には背表紙３に設けたヒンジ部３１と同様の位置にヒンジｈに複数の対面ヒンジ部６１を樹脂の肉厚を薄くして形成している。この対面ヒンジ部６１は、裏表紙５に対し背表紙３及び対面表紙６を直交させて配置した場合、ヒンジ部３１に対面し得る位置関係をなす。
【００２６】
表表紙４は、背表紙３から裏表紙５とは反対側へヒンジｈを介して延出しており、裏表紙５と略同じ寸法をなしている。これにより表紙体１は、前記背表紙３、前記一方の表紙、前記他方の表紙及び対面表紙６により、平面視矩形状をなし得るものとなっている。
【００２７】
重層表紙７は、対面表紙６からヒンジｈを介して形成された裏表紙５と略同じ寸法を有したものである。
【００２８】
以上のように本実施形態では、収容体２を構成する各々のポケット部２０を、ポケット２１の基端部２２の位置で重層させて固定し、ポケット２１が全て裏表紙５へ向けて延びるように位置付けていることを特徴としている。
【００２９】
このようにすることで、シートは止着部３０に止着された基端部２２から一方向にのみ延びる為、ポケット部が基端部から逆方向へ不自然に折り曲げられることも無く、他の止着部３０に止着されたシートに厚み方向に干渉することを有効に回避している。これにより、紙葉類たるカードＣを収容しない状態や収容するカードＣが少ない状態において特にコンパクトに構成し得るファイルFを実現している。
【００３０】
また本実施形態では、収容するカードＣの量に拘わらず表紙体１が好適に収容体２を面方向に被覆し得る態様として、前記表紙体１が前記背表紙３からヒンジｈを介して他方に延びる他方の表紙たる表表紙４と、裏表紙５からヒンジｈを介して延び前記背表紙３に対面し得る対面表紙６とを有するものとし、背表紙３、表表紙４、裏表紙５及び対面表紙６により、平面視矩形状をなし得るものとしている。これにより、表紙体１が図１、図２に示すような平面視矩形状から図３、図４に示すような平面視で平行四辺形状に、収容するカードＣの量に応じて適宜変形させることで、背表紙３のヒンジ部３１によらずとも、全体の厚み寸法の変化に有効に適応し得るものとなっている。
【００３１】
より確実に収容体２を面方向に被覆し収容体２を有効に保護するために本実施形態では、表表紙４に重層させ得る重層表紙７をさらに設けたものとしている。
【００３２】
そして本実施形態ではポケット部２０同士の厚み方向の干渉をさらに有効に回避することでより全体としてコンパクトに構成するため、複数の止着部３０を等間隔離間させて設けるとともに、前記複数のポケット部２０が有するポケット２１の数をそれぞれ等しくすることが好ましい。
【００３３】
また、複数のシートのうち、カードＣを収容しているポケット２１の位置に偏りがあっても表紙体１が好適に収容体２を被覆し得るように本実施形態では、背表紙３が、前記複数の止着部３０間に設けられたヒンジ部３１を有している。
【００３４】
以上、本発明の実施形態について説明したが、各部の具体的な構成は、上述した実施形態のみに限定されるものではなく、本発明の趣旨を逸脱しない範囲で種々変形が可能である。
【００３５】
例えば、上記実施形態ではの収容部が袋状をなすポケットをシートの一例として開示したが、シートの態様とは、例えば写真等を好適に貼り付け得るように構成した単なる一枚の紙としてのシートや、同じく写真等を保持し易い様スリットを適宜設けたものであっても良い。また上記実施形態では表紙体を板状の樹脂から構成する態様を開示したが、勿論全体的に可撓性を有する樹脂や布状のものを一部又は全部に適用しても良く、勿論紙により構成しても良い。その他、シートの寸法や表紙体を構成する素材等の具体的な態様は上記実施形態のものに限定されることはなく、既存のものを含め、種々の態様のものを適用することができる。
【００３６】
その他、各部の具体的構成についても上記実施形態に限られるものではなく、本発明の趣旨を逸脱しない範囲で種々変形が可能である。
【産業上の利用可能性】
【００３７】
本発明は紙葉類を保管しておくためのファイルとして利用することができる。
【符号の説明】
【００３８】
１…表紙体
２０…シート部（ポケット部）
２１…シート（ポケット）
２２…基端部
２３…収容部
３…背表紙
３０…止着部
５…一方の表紙（裏表紙）
Ｆ…ファイル
【図１】
2013151132.tif 000003
【図２】
2013151132.tif 000004
【図３】
2013151132.tif 000005
【図４】
2013151132.tif 000006
【図５】
2013151132.tif 000007
【図６】
2013151132.tif 000008
【図７】
2013151132.tif 000009